(57)【要約】  再閉鎖可能な流出口を有する包装であって、内向きに延びている側部ひだによりそれぞれその側方の縁において連結し得る前面及び背面の包装パネルを備えた包装が明らかにされる。包装の上の縁の部分は、包装の内容物を分配するための流出口を形成するために、側部ひだを含んで除去可能である。自分自体に着脱可能に連結できるファスナーストリップが流出口の近くで、前面及び背面の包装パネルの向かい合っている内面の間で延び、これにより、包装を初めて開けた後で流出口を便利に閉鎖することができる。包装は、流出口の近くからファスナーストリップに重なって延びる長手方向の封着を持つことができる。包装が側部ひだを有するときは、包装は、コーナー封着の配列を持つことができる。この場合、流出口が形成される方の一方のひだのコーナー封着は包装の全長には伸びず、これにより流出口を形成するように包装の形を整えることを容易にする。本発明の包装の形成方法も明らかにされる。
2009511379.tif 000002
【特許請求の範囲】
【請求項１】
再閉鎖可能な流出口を有する包装であって：
前面包装パネル；
背面包装パネル；及び
前記前面及び背面包装パネルの向かい合っている内面に沿って延びている再閉鎖可能なファスナーストリップ
を備え、
前記ファスナーストリップはそれ自体に着脱可能に連結するように構成され、これにより前記流出口を形成するための包装の上の縁の開口後に前記上の縁に再閉鎖可能な流出口を形成し、
前記包装が、前記流出口に隣接し、前記前面包装パネルを前記背面包装パネルに連結している長手方向封着を含んでいる
包装。
【請求項２】
前記包装が、前記前面包装パネル及び前記背面包装パネルのそれぞれの対する縁を互いに接続している１対の側部ひだを有し、前記ファスナーストリップが前記ひだの一方の内側面に沿って延びている
請求項１による包装。
【請求項３】
前記前面及び背面包装パネルが互いに封着され更に封着されたヘッダーを形成するように前記包装の前記上の縁において前記側部ひだに封着され、前記封着されたヘッダーの一部分が前記流出口から除去可能である
請求項２による包装。
【請求項４】
前記ファスナーストリップがプロフィルファスナーストリップよりなる
請求項１による包装。
【請求項５】
前記ファスナーストリップが接着式ファスナーストリップよりなる
請求項１による包装。
【請求項６】
前記ファスナーストリップがフックアンドループファスナーストリップよりなる
請求項１による包装。
【請求項７】
前記ファスナーストリップが前記流出口の周囲より大きい長さを有し、そして前記長手方向の封着が前記流出口の近くから延び前記再閉鎖可能なファスナーストリップに重なる請求項１による包装。
【請求項８】
長手方向の封着が前記流出口の近くから延びそして前記ファスナーストリップのファスナー要素の上方で前記ファスナーストリップに重なる
請求項１による包装。
【請求項９】
再閉鎖可能な流出口を有する包装であって：
前面包装パネル；
前記前面包装パネルに連結された背面包装パネル；
前記前面及び背面包装パネルのそれぞれの向かい合っている縁を連結している１対の側部ひだ；及び
前記前面包装パネルの内側面の一部分から前記背面パネルの内側面の一部分に、前記側部ひだの一方に沿って延びている再閉鎖可能なファスナーストリップ
を備え、
前記ファスナーストリップはそれ自体に着脱可能に連結するように構成され、
前記前面パネルと前記背面パネルとは、封着されたヘッダーを形成するように前記包装の上の縁において互いに封着され、前記封着されたヘッダーの一部分は前記ファスナーストリップに隣接し、前記ファスナーストリップは前記流出口を選択的に再閉鎖するためにそれ自体に着脱可能に連結するように構成され、
前記包装が、前記ひだの各をそれぞれ前記前面及び背面包装パネルに連結している１対のコーナー封着をそれぞれ前記ひだの各に有し、前記流出口の形成を容易にするために、前記ひだの前記一方の前記コーナー封着の各が前記ファスナーストリップのファスナー要素より下方のある点から下向きに延びている包装。
【請求項１０】
前記点の各が、一般に前記ひだの各の折り返された幅に相当する距離だけ前記ファスナーストリップの前記ファスナー要素の下方に間隔を空けられる
請求項９による包装。
【請求項１１】
前記封着されたヘッダーの除去を容易にするために、前記ひだの前記一方を前記封着されたヘッダーの前記前面及び背面包装パネルにそれぞれ連結して形成された１対の補助コーナー封着を有する
請求項９による包装。
【請求項１２】
前記流出口の近くで前記前面及び背面包装パネルを互いに連結している長手方向封着を有する
請求項９による包装。
【請求項１３】
前記包装が、前記封着されたヘッダーの前記部分の除去を容易にするために少なくも一つの弱くされた領域を有する
請求項９による包装。
【請求項１４】
前記側部ひだの前記対が前記封着されたヘッダー内に延び、前記封着されたヘッダーの前記除去可能な部分が前記側部ひだの前記一方の一部分を含む
請求項９による包装。
【請求項１５】
前記ファスナーストリップが、プロフィルファスナーストリップ、接着性ファスナーストリップ、及びフックアンドループストリップよりなるグループから選定される
請求項９による包装。
【請求項１６】
前記包装が平たい状態である幅を有するチューブから形成され、前記ファスナーストリップは、半分に折り返されたとき、前記幅の半分より小さい長さを有し、
前記取り付け要素は前記封着されたヘッダーから約４．７６ｍｍ（０．１８７５インチ）から約１９．０５ｍｍ（０．７５インチ）の間隔を空けられる
請求項９による包装。
【請求項１７】
前記再閉鎖可能なファスナーストリップがプロフィル要素の複数のグループを有し、前記プロフィル要素の複数のグループの各がそれ自体と着脱可能に連結するように構成される
請求項９による包装。
【請求項１８】
再閉鎖可能な流出口を有する包装を形成する方法であって：
長手方向軸線を有する材料のウエブを準備し；
前記形成される包装の各の長さに相当する間隔で前記材料のウエブに多数のファスナーストリップを取り付け、前記ファスナーストリップは各が前記長手方向軸線を横切って延び、かつ各がそれ自体に着脱可能に連結し；
前記材料のウエブを折り返し、そしてチューブを形成するように材料をそれ自体に封着し；
縦並びの関係で一連の包装を形成するように前記チューブを横断方向に封着し、この際、前記包装の各は前面包装パネルと背面包装パネルとを有しており、前記ファスナーストリップのそれぞれは、再閉鎖可能な流出口を形成するためにそれぞれの包装の前面包装パネルの一部分から背面包装パネルの一部分に延び；更に
前記流出口の近くで前記前面包装パネルを前記背面包装パネルに連結する長手方向の封着を形成する
諸段階よりなる方法。
【請求項１９】
前記横断方向のストリップの封着より前に前記チューブに１対の内向きに延びている側部ひだを形成し、前記ファスナーストリップの各が、それぞれの前記側部ひだの内面に沿ってそれぞれの包装の前面包装パネルから背面包装パネルに延びている
請求項１８による包装の形成方法。
【請求項２０】
前記材料のウエブが、一般に前記包装の各の背面包装パネルに沿ってそれ自体に封着される請求項１８による包装の形成方法。
【請求項２１】
前記材料のウエブが、一般に前記包装の各の前記前面包装パネル又は背面包装パネルの縁に沿ってそれ自体に封着される
請求項１８による包装の形成方法。
【請求項２２】
前記複数のファスナーストリップが、前記材料のウエブに、その長手方向軸線から外れて取り付けられる
請求項２０による包装の形成方法。
【請求項２３】
前記複数のファスナーストリップが、前記材料のウエブに、その長手方向軸線に整列して取り付けられる
請求項２１による包装の形成方法。
【請求項２４】
前記ひだを前記前面及び背面包装パネルの各にそれぞれ連結する前記ひだの各に１対のコーナー封着を形成し、前記ひだの前記一方の前記コーナー封着の各が、前記流出口の形成を容易にするために、前記ファスナーストリップのファスナー要素の下方の点から下向きに延びる
ことを含む請求項１９による包装の形成方法。
【請求項２５】
前記ひだの前記一方を前記ファスナーストリップの上方で前記前面及び背面包装パネルにそれぞれ連結する１対の補助コーナー封着を形成する
ことを含む請求項２４による包装の形成方法。
【発明の詳細な説明】
【技術分野】
【０００１】
本発明は、一般に再閉鎖可能な包装に関し、特に再閉鎖可能な流出口を有し、側部ひだを有するように構成することができ、かつ乾燥した流出可能な内容物に対する使用に特に適した包装に関する。
【背景技術】
【０００２】
再閉鎖可能な包装は、消費者及びその他の使用者に対して包装内容物の一部分の使用と包装の効果的な再閉鎖とを許すことを提供する利便性の観点から広範囲に使用されるようになった。この目的で、包装を最初の開口の後で容易に閉鎖することを許すために、プロフィルファスナーストリップ、共働する接着ストリップ、フックアンドループファスナー要素、及び同等品を含む再閉鎖可能な要素の設けられた包装が提供されている。ここにすべてが参考文献として組み込まれた特許文献１、特許文献２、特許文献３、及び特許文献４は、種々の再閉鎖可能な包装の構造及びこれらを形成する方法を開示する。
【０００３】
上に引用した特許により形成された包装は、包装の最初の開口のため及びプロフィルファスナーストリップ又はその他の形式の再閉鎖可能な要素への接近を提供するために除去される包装の部分を含むことが普通である。これまで知られている典型的な構造においては、包装の再閉鎖可能な要素は、包装の一つの寸法を実質的に完全に横切って、即ち包装の幅を完全に横切って延びる。これにより包装の内容物への接近が容易にされる。
【特許文献１】米国特許第５，７８２，７３３号  明細書
【特許文献２】米国特許第４，６５５，８６２号  明細書
【特許文献３】米国特許第４，８４４，７５９号  明細書
【特許文献４】米国特許第４，９０９，０１７号  明細書
【特許文献５】米国特許第４，８９８，７８７号  明細書
【特許文献６】米国特許第５，８６２，６５２号  明細書
【発明の開示】
【発明が解決しようとする課題】
【０００４】
しかし、ある種の用途に対しては、包装のある組み合わせ部分を再閉鎖可能な開口に構成しつつ包装の一部分で封鎖された完全性を保つことが望まれることがある。かかる配列は、包装が流出口部分を含むことを許し、これによりドッグフード、化学肥料、乾燥シリアル、又はその他の乾燥した流出可能な材料のような包装内容物の便利な流出を容易にする。本発明は、再閉鎖可能な流出口を有する包装であって、この包装が側部ひだを有するように構成され、このため包装用材料を効率的に使用して包装の内部容量を望ましく増加させた包装に向けられる。
【課題を解決するための手段】
【０００５】
本発明は、包装が初めて開かれ後で便利に再閉鎖することができる流出口を有する包装に向けられる。特に、本発明は、希望の内部容量、及び包装材料を効率的に使用する包装を提供する側部ひだを有するように構成することができる。本包装は、前面及び背面の包装パネルを、流出口の近くで互いに連結している長手方向の封着を有することができ、この封着は、流出口が初めて開かれた後、包装の内部を閉鎖すように作用する。更に、１対の側部ひだが設けられた場合、（ときにはコードシールと呼ばれる）コーナーシール（封着）の配列を設けることができる。これは包装の剛性を高くして包装及びその内容物を自立状態で安定化させるように作用する。特に、流出口が形成された側部ひだに設けられたコーナーシールは、包装の全長を延びずに構成されることが好ましい。ひだの製造方法も明らかにされ、この明らかにされた方法は、効率的かつ経済的な使用のための高速度形成、充填、及び封着（ＦＦＳ）包装機械による包装の使用を容易にする。
【０００６】
図示された実施例により、本包装は、前面包装パネル及び背面包装パネルを備える。図示実施例では、更に、前面及び背面のパネルのそれぞれの向かい合っている縁を互いに連結する１対の側部ひだを備える。本包装は、側部ひだを有するとして図示されたが、本包装はかかる側部ひだなしのいわゆる「ピロウパック」構造で構成することができる。
【０００７】
本発明の包装は、更に、前面及び背面の包装パネルの向かい合っている内面から、即ち前面パネルの内面のある一部分から背面パネルの内面のある一部分に延びている再閉鎖可能なファスナーストリップを備える。包装が側部ひだを有するように構成された場合は、ファスナーストリップは一方のひだの内面に沿って延びる。ファスナーストリップは、これがそれ自体と着脱可能に連結するように構成されるように、プロフィルファスナーストリップ、接着式ストリップ、又はフックアンドループストリップの形式で設けることができる。
【０００８】
前面及び背面のパネル、及び設けられ場合は側部ひだは、封着されたヘッダーを形成するように包装の上の縁において互いに封着され、その一部分は包装の流出口を形成するために除去することができる。ヘッダーの除去可能で部分は包装のファスナーストリップの上方でこれの近くに位置決めされ、これによりファスナーストリップは、包装の初めての開口後、流入口を再閉鎖するように位置決めされる。これは、ファスナーストリップを折り返してこれをそれ自体に連結することにより容易に実行され、これにより包装の流入口を閉鎖する。包装の封着されたヘッダーの一部分は除去可能であるが、封着されたヘッダーの残りの部分は完全なままであり、包装の完全性を維持する。
【０００９】
封着されたヘッダーの除去可能な部分を容易に開くために、包装が、刻み目、ミシン目、又は同等の形式で提供されるような弱くされた部分を少なくも１カ所備えることが好ましい。包装に側部ひだが設けられた場合は、弱くされた部分は、包装の流出口を提供する部分の設けられた一方の側部ひだを通って延びることが好ましい。
【００１０】
本包装の効率的な形成は、長手方向軸線を有する材料のウエブを準備し、そして形成される包装の各の長さに相当する間隔で材料のウエブに多数のファスナーストリップを取り付けることにより行われる。各ファスナーストリップは、材料のウエブの長手方向軸線を横切って延びる。認められるであろうように、ファスナーが事前に取り付けられた材料のウエブはロールに巻いて貯蔵することができ、その後、製品の充填に伴う成型、充填及び封着機械に関連して使用される。或いは、本包装は、いわゆる「インライン」で形成することができる。この場合、ファスナーストリップは、材料及びウエブが成型、充填、及び封着機械、及びポーチ製造機械を含んだその他の包装システム内に供給されるときに取り付けられる。
【００１１】
包装の形成は、チューブを形成するように材料のウエブを折り返し、そしてそれ自体に材料を封着することにより行われる。このチューブは、各包装が前面包装パネルと背面包装パネルとを有し縦並びの関係の一連の包装を形成するように横断方向に封着される。それぞれのファスナーストリップはそれぞれの包装の前面パネルのある一部分から背面パネルのある一部分に延び、これにより希望の再閉鎖可能な流出口を形成する。各ファスナーストリップが一方の側部ひだの内面に沿ってそれぞれの包装の前面パネルから背面パネルに延びる状態で内向きに延びている１対の側部ひだを、横断方向封着段階より前に形成することができる。
【００１２】
本包装は、特定の用途に応じて別の方法で形成することができる。一形式においては、材料のウエブは、一般に各包装の背面パネルに沿って、それ自体に封着される。この方式の形成は、材料のウエブに、その長手方向軸線から外れて多数のファスナーストリップを取り付けることを含み、これにより形成された各包装の上部のコーナーに希望の流出口が設けられる。或いは、材料のウエブを、一般に各包装の前面パネル又は背面パネルの縁に沿ってそれ自体に封着することができ、これは、適切なグラフィックス又は同等を有する継ぎ目なしの背面パネルを提供できて望ましい。材料のウエブに、その長手方向軸線と整列して、即ち、ファスナーストリップの各と長手方向軸線とを交差させた状態で多数のファスナーストリップを取り付けることにより、この方法での形成を行うことができる。この方法における形成は、材料のウエブにファスナーストリップを事前に取り付け、続いて材料のロールを形成し、次にこのロールをほぐし、そして成型、充填、及び封着機械により使用することにより包装が形成されることが望ましい。材料のウエブの長手方向軸線と整列して各ファスナーストリップが位置決めされるこの方法は、ファスナーストリップの「中心」配列を提供し、事前に取り付けられたファスナーストリップを有する材料のウエブのロールの形成を容易にする。
【００１３】
図示実施例に従い、本包装は流出口の近くで前面包装パネルと背面包装パネルとを連結する長手方向の封着を備えることができる。長手方向封着は流出口の近くから、組み合わせられた再閉鎖可能なファスナーストリップに重なって延びることができる。これは、効率的な製造を推進するために、望ましくは流出口の周囲より大きい長さとすることができる。或いは、長手方向封着は、流出口の近くからファスナー要素の上方でファスナーストリップに重なって延びるようにして構成することができる。この長手方向封着の提供は、包装の流出口の形成のために包装の一部分を除去した後、包装の内部を閉鎖するように作用し望ましい。
【００１４】
本包装は、ときにはコードシールと呼ばれるコーナーシールの配列を含んで構成することもできる。コーナーシールは包装の剛性を大きくし、包装とその内容物の自立の際の安定性を大きくするように作用し望ましい。特に、包装は、側部ひだの各を前面及び背面の包装パネルにそれぞれ連結している側部ひだの各にコーナーシールの対を含むことができる。流出口が形成される方のひだのコーナーシールは、各がファスナーストリップのファスナー要素の下方の点から下向きに延び、これにより、流出口が開かれたときに包装が一般にＵ字状の形をとるので流出口の形成を容易にすることが注目される。この配列は、ファスナーストリップのファスナー要素におけるコーナーシールの形成を回避し望ましい。これは、この形成がファスナーストリップの希望の機能を妨げるためである。更なる実施例においては、ファスナーストリップの上方でひだの一方が前面及び背面の包装パネルにそれぞれ連結する１対の補助コーナーシールを形成することができる。この場合、補助コーナーシールは、その除去を容易にするために、包装の封着されたヘッダーに設けられることが好ましい。認められるであろうように、コーナーシールは流出口の形成される包装のひだに沿って、即ち、各がファスナーストリップの上方及び下方を延びるがファスナーストリップを横切らずに形成される。
【００１５】
本発明のその他の特徴及び長所は以下の詳細な説明、付属図面、及び特許請求の範囲より容易に明らかになるであろう。
【発明を実施するための最良の形態】
【００１６】
本発明は種々の形式で考えることができるが、この開示は本発明の現在の好ましい実施例として理解され、かつ本発明をある特定の示された実施例に限定することを意図しない好ましい実施例が図面に示され、そして以下説明されるであろう。
【００１７】
本発明は、側部ひだを有して構成することができる包装であって、流出口を形成するように包装の上方のコーナーを開くことができる包装を明らかにする。更に説明されるであろうように、包装は、包装の内側にファスナーストリップを有し、これが最初の開口後の流出口の便利な再閉鎖を容易にする。ファスナーストリップは、包装が側部ひだを有する場合、ファスナーストリップが一般にＷ字状を有する開口前の正常な形状にされることを許すように十分に柔軟なものが使用される。包装の最初の開口後、一般にＵ字状の流出口が形成され、包装の内側の露出したファスナーストリップが包装内容物の続く流出に対する便利な再閉鎖を許す。本包装は、ドッグフード、乾燥シリアル、化学肥料、及び同等品のような乾燥した流出可能な内容物に対する使用に特に適している。
【００１８】
特に図１を参照すれば、本包装１０は、本技術においてよく知られるようなプラスチックフィルム、紙、積層構成体、及び同等品を含む広範囲の種々の材料から適切に形成することができる。包装１０は、一般に長方形の前面包装パネル１２及び一般に長方形の背面包装パネル１４を備え、これらは、図示実施例においては、内向きに延びている１対のひだ１６及び１８により、それぞれ両側の縁において互いに連結される。認められるであろうように、本発明の原理を具体化した包装は側部ひだ無しで、前面包装パネル１２と背面包装パネル１４の各の縁部分が、いわゆる「ピロウパック」の形に互いに直接連結された状態で提供することができる。
【００１９】
更に説明されるであろうように、包装１０は、ウエブ材料の長さに沿って延びる継ぎ目に沿って材料がそれ自体に連結されて筒状に形成されたウエブ材料より形成することができる。包装１０は背面継ぎ目２０を有するが、材料のウエブがそれ自体に連結された継ぎ目は一般に前面パネル又は背面パネルの一方の縁に設けることができ、従って継ぎ目が一般に側部ひだ１６、１８の一方内に設けられることは、本発明の範囲内である。
【００２０】
包装１０は、横断方向の封着によりその上方部分及び下方部分において閉鎖され密閉される。底部の封着２２は前面及び背面包装パネル１２、１４を互いに連結し、更にこれらパネルを側部ひだ１６、１８に連結する。希望される特定の形状に応じて、側部ひだは、図示のように頂部及び底部の封着において封鎖され「密閉」され、又は「開口」のままとすることができる。即ち、側部ひだの各は、包装の頂部及び底部において一般にＶ字状の形を形成する。
【００２１】
包装１０の上方の横断方向封着は、前面包装パネル１２と背面包装パネル１４とを互いに連結し、かつ側部ひだ１６及び１８に連結し、包装１０の封着されたヘッダー２４を形成する。
【００２２】
本発明により、包装１０の、封着されたヘッダー２４の部分を含んだ上方の縁のコーナー部分２５は、包装１０用の流出口を形成するために、これを除去することができる。このために、包装１０には、包装の上方コーナーに弱くされた領域２６が選択的に設けられ、一般に弱くされた領域２６内の部分２５の除去を容易にする。消費者による包装の上方コーナー部分２５の除去を容易にするために、弱くされた領域２６は、適切なミシン目、或いはナイフ又はレーザーによるような刻み目を設け、或いはその他により領域を弱くすることができる。図示実施例においては、弱くされた領域２６は、包装１０の流出口の設けられた側に配置された側部ひだ１６内に入りかつこれを通って延びている一連のミシン目として示される。弱くされた領域２６は、これに代わって包装のヘッダー２４の一部分を、適切なナイフ、鋏又は同等品の使用により使用者が除去できるため、本発明の実施については必須ではない。
【００２３】
図２は、一般に２８で示された流出口を形成するために、弱くされた領域２６を破り、封着されたヘッダー２４の一部分を含む包装の部分２５を除去した後の本発明の包装１０を示す。観察されるであろうように、側部ひだ１６は、一般に逆に又は外向きに折り返されて流出口２８を形成し、包装１０の内容物の便利な排出を容易にする。図示されるように、封着されたヘッダー２４の残りの部分は無傷で残り、包装から内容物を流出させるように扱われた際の包装の希望の完全状態を提供する。
【００２４】
本発明に従って、包装１０の内面に固定されたファスナーストリップの設置により、流出口２８の便利な再閉鎖が達成される。示されるように、ファスナーストリップ３０は、包装の弱くされた領域２６により定められた流出口２８の一般に下方で、前面包装パネル１２及び背面包装パネル１４の向かい合っている面と面との間を延び、即ち、好ましくは一般に包装の長手方向中心線の一方の側に沿い、前面包装パネルの一部分と背面包装パネルの一部分に沿って延びる。包装１０に図示のように側部ひだが設けられた場合は、ファスナーストリップ３０は、側部ひだ１６の内面に沿って延びる。この配列により、所要の柔軟性を示すように選ばれたファスナーストリップ３０は、包装の開口前は一般にＷ字状の形を有し（図４参照）、そして流出口が開かれた後は一般にＵ字状の形を取る（図５参照）。
【００２５】
ファスナーストリップ３０は、それ自体と着脱可能に連結するように構成され、そしてこの方法で、包装１０の内容物の希望量が分配された後の流出口の便利な閉鎖を容易にする。ファスナーストリップは、図３及び４に示されるように単純に折り返されてそれ自体に対して押し付けられ、流出口２８を閉鎖する。観察されるであろうように、側部ひだ１６は、その外向きに延びている位置に維持され、そしてファスナーストリップ３０のその全折り返し長さに実質的に沿ったファスナーストリップ３０のそれ自体に対する着脱可能な確保を容易にする。こうして包装１０は次の再使用のために効果的に密閉される。
【００２６】
ファスナー３０の特別な形状は、ここに明らかにされる原理を保持しながら変更することができる。現在考えられる一実施例においては、ファスナーストリップ３０は、いわゆるプロフィルファスナーストリップの形式で提供され、典型的に間に溝を定めている少なくも２個の直立要素３２を有し、ファスナーストリップがそれ自体の上に折り返されたとき、この溝が１個の直立要素を受け入れることができる。ここに参考文献として組み込まれた特許文献２及び特許文献３は、プロフィルストリップが折り返されたとき、それ自体上に組み合う能力を有する相互組み合い式のプロフィルファスナーストリップを示す。かかる最閉鎖可能な相互に組み合うプロフィルストリップは、少なくも１個の「ユニセックス」リブと溝とが組み合う特徴を持っている。
【００２７】
ファスナーストリップ３０は少なくも２グループのプロフィル要素３２を有し（図７）、各グループは、「ユニセックス」形状のものであって、要素の各グループが希望の自己組み合い作用を提供するようにそれ自体と組み合い得ることが好ましい。自己組み合いをする複数グループのプロフィル要素の好ましい設置は、強化された封鎖を提供することとは別に本発明の望ましい強化された感触のよい使用を提供し、流出口の便利な操作を強化する。
【００２８】
ファスナーストリップ３０は、ここに参考文献として組み入れられた特許文献５に開示されたような接着性閉鎖具として代わって構成することができる。接着性閉鎖具の形式は、室温封鎖可能な感圧性共接着材を含む。この形式の感圧性閉鎖具は表面の粘性が小さく、別の室温密閉可能な共接着材の適用された表面と圧力下で接触して置かれたときだけ共接着する。この形式の共接着性閉鎖具の感圧側は、本発明を具体化した包装において使用するために共接着性の側がそれ自体と接触するように折り返すことができる。
【００２９】
更に、ファスナーストリップ３０を、本技術において知られるような，いわゆるフックアンドループ閉鎖具のように構成することが考えられる。この形式で構成するときは、ファスナーストリップは２種の異なった部分、即ち、一方はいわゆるフック要素を有し、他方はいわゆるループ要素を有する２種の部品を備えることができ、そして一般にその中央で折り返して、その折り返された長さにわたりそれ自体に確保される。或いは、その長さを通して「フック」及び「ループ」の両者として機能し得る要素を有するフックアンドループファスナーを使用することができ、これによりファスナーストリップ３０はそれ自体と接合することができる。例えば、多数の間隔の密な一般にマッシュルーム形の直立した要素を有し、この要素が同様な要素と着脱可能に相互に組み合うように構成された前記の性質のファスナーが知られている。
【００３０】
示された実施例においては、ファスナーストリップ３０は、プロフィル要素３２及び上下の耳部分３４と３６を有する耳付きプロフィルファスナーストリップとして示される（図７及び８参照）。プロフィル要素３２は、耳部分と分離した形式、又はこれと一体に構成することができる。包装１０のファスナーストリップ３０は一体型の単一の構成要素として構成され、そして包装の内側面に取り付けられ配置されることが好ましい。
【００３１】
プロフィル要素３２は、認められるように、ファスナーストリップ３０をそれ自体に着脱可能に連結するための取り付け要素を提供し、一方、上下のフランジ部分３４、３６は各ファスナーストリップの取り扱い、及び包装１０を構成する材料の組み合わせられたウエブに対する確保を容易にする。関連して、プロフィル要素３２、又は別形式で提供されるファスナーストリップ３０の１個又はそれ以上の取り付け要素は、包装の封着されたヘッダー２４に実際的にできるだけ接近して位置決めされ、これによりヘッダーとファスナーストリップの取り付け要素との間に存在する非封着部分を最小にすることが好ましい。図３にＳで示されたこの間隔は約４．７６ｍｍ（０．１８７５インチ）から約１９．０５ｍｍ（０．７５インチ）であることが好ましく、これが、包装の形成中に上方の耳部分３４と組み合わせられたフィルム材料との間の必要な封着を形成する形成用設備に対して十分な空間を提供する。この好ましい間隔を得るために、下の耳部分３６は上方の耳部分３４より大きい寸法を持つことができる。
【００３２】
本発明により、本再閉鎖可能な包装は、流出口２８に隣接しかつ前面包装パネル部分１２と背面包装パネル部分１４とを互いに連結する長手方向のシール４０を設けることができる。長手方向のシール４０は、封着されたヘッダー２５のコーナー部分２６を除去した後、包装の内部を密閉するように作用し、これにより包装の内容物の完全性を維持することことが望ましい。図１−３に示された実施例においては、長手方向シール４０は、再閉鎖可能なファスナーストリップ３０の内側で流出口２８の近隣から延び、そして、ストリップの端部を一緒に封着するためにファスナーストリップに重なることが好ましい。ファスナーストリップ３０は開かれた流出口２８の周囲より大きい長さで提供され、ファスナーストリップの位置決めの際の過剰な正確さの要求を避けることが望ましい。
【００３３】
図１１に示された別の実施例においては、長手方向シール４０’が設けられ、この長手方向シールは包装の流出口の近くからファスナーストリップ３０のファスナー要素の上方でファスナーストリップに重なって延びる。
【００３４】
認められるであろうように、長手方向シール４０、４０’は、包装の流出口を形成するように包装の除去可能なヘッダー部分が外されて包装に形成された開口を閉鎖すことが望ましい。長手方向シール４０、４０’の形成は、後で更に説明されるように、包装を形成する材料がチューブに形成された後に行われる。
【００３５】
更に図１１を参照すれば、本包装に側部ひだが設けられるとき、ときにはコードシールと呼ばれるコーナーシールの配列が包装に設けられる。これは包装の剛性を高くして包装及びその内容物を自立状態において安定化させるように作用する。包装の流出口の形成される側に形成されるコーナーシールは、包装の全長を延ばさないとの期待を有し、この種のコーナーシールを、一般に、ここに参考文献として組み入れられた特許文献６に従って設けることができる。
【００３６】
特に、図１１は、側部ひだ１８におけるコーナーシール４２の対、及び流出口が形成される側部ひだ１６における別のコーナーシール４４の対を示す。ひだの各のコーナーシールの対は、それぞれ、ひだの各を包装の前面包装パネル１２及び背面包装パネル１４に連結する。注意されるように、側部ひだ１８のコーナーシール４４は包装１０の実質的に全長を延びることが好ましい。
【００３７】
対比して、流出口が形成される方の側部ひだ１６のコーナーシール４４は包装１０の全長には延びない。各コーナーシール４４は、ファスナーストリップ３０のファスナー要素（例えば、プロフィル要素）の下方のある点から下向きに延びる。この点は、ファスナー要素から下方に間隔を空けられていることが好ましい。この間隔は、側部ひだ１６と前面及び背面の包装パネルとが、使用中、流出口２８の希望の一般にＵ字状の形状となることを大きく妨げることのないように選定されることが好ましい。コーナーシール４４がファスナーストリップ３０のファスナー要素にあまりにも近くまで延びると、包装が流出口の領域において希望のＵ字状の形を取ることを妨げる可能性がある。認められるように、コーナーシール４４がファスナーストリップ３０のファスナー要素を越え又は交差して延びないことが特に好ましい。そうでなければ、ファスナーストリップ３０の希望の自己閉鎖特性を妨げ望ましくない。
【００３８】
図１１は、本発明の更なる選択的な特徴を示し、これにおいては側部ひだ１６を、ファスナーストリップ３０の上方で前面及び背面の包装パネルにそれぞれ連結する補助コーナーシール４６が設けられる。補助コーナーシール４６は、包装の封着されたヘッダー２４に、好ましくは弱くされた領域２６の上方に設けられることが好ましい。この配列は、各補助コーナーシール４６がそのシールされた状態のため幾らか剛性が大きく、各補助コーナーシール４６の下方を延びる弱くされた部分２６におけるコーナー部分２５の操作を容易にし、これにより上方コーナー部分２５の取り扱いを容易にする。
【００３９】
コーナーシール４２、４４のこの好ましい配列は、コーナーシールが流出口の大きさを限定することを回避し望ましい。コーナーシール４４がファスナーストリップ３０のファスナー要素にあまりにも近くに設けられる場合は、流出口の完全開口が妨げられる可能性がある。好ましい形式においては、各コーナーシール４４は、ファスナーストリップのファスナー要素３２の下方に間隔を空けられる。この間隔は、一般に、各コーナーシール４４とそれぞれのひだ１６の折り返しとの間の距離、即ち折り返されたひだの幅に相当する。これが、流出口の完全開口を容易にする。
【００４０】
図９及び１０は、形成、充填、及び封着機械による次の使用のため、又は形成、充填、及び封着機械によりインラインで行われる包装形成材料のウエブに対するファスナーストリップ３０の事前取り付けにより行うことができる本包装の形成を線図的に示す。
【００４１】
包装１０を形成する材料のウエブＷはロール形式で提供され、そして材料のウエブが長手方向軸線を定めるようにほぐされる。多数のファスナーストリップ３０が提供され、そして形成中の各包装の長さに相当する間隔Ｉで材料のウエブＷに取り付けられる。注意されるように、各ファスナーストリップ３０は、各ファスナーストリップ自体がプロフィル要素及び組み合わせられたフランジ部分のような離散部分を備える場合でも、この方法における形成中に単一ピースの材料として適用されることが好ましい。
【００４２】
各ファスナーストリップ３０は、これが材料のウエブの長手方向軸線を横切って延びるように材料のウエブに取り付けられた後、材料ののウエブが折り返され、そしてチューブを形成するようにそれ自体に封着される。この方法で、背面の継ぎ目２０が形成される。材料のチューブは横断方向で封着されて縦つながりの一連の包装に形成され、各包装は前述のように前面及び背面のパネルを備える。図示されるように、それぞれのファスナーストリップ３０は、それぞれの包装の前面包装パネルの一部分から背面包装パネルの一部分に延び、これにより包装の再閉鎖可能な流出口を形成する。包装に側部ひだが設けられる場合は、図示のように、材料のウエブは、チューブの横断方向の封着より前に、側部ひだを形成する適切なプラウに関して案内される。
【００４３】
材料ウエブＷは、図９に示されるように、形成される各包装の背面パネル１４に一般に沿ってそれ自体に封着される。多数のファスナーストリップ３０が材料のウエブ上に、ウエブの長手方向軸線に対してずれた相互関係で取り付けられる。図１０は、対比して、一般に前面及び背面のパネルと側部ひだとの間の連結線の一つ、即ち、一般に組み合わせられた側部ひだにおける前面及び背面のパネルの縁の一つにおける包装の継ぎ目の形成を示す。本包装がこの方法で形成される場合は、多数のファスナーストリップ３０が材料のウエブに、その長手方向軸線と整列して、即ち、一般に長手方向軸線と交差して取り付けられる。この方式の形成により、その長手方向の継ぎ目が前面包装パネル又は背面包装パネルのいずれにも配置されない包装が形成され、パネル上のグラフィックス又は同等の表示を容易にする。更に、充填、及び封着機械による使用より前はロール形式で貯蔵するようなファスナーストリップ３０が図１０に示されるように材料のウエブに先に取り付けられたときは、一般に材料のウエブの中心線におけるファスナーストリップの配置が材料のロールのより安定性を提供する。
【００４４】
認められるように、本発明による再閉鎖可能な流出口を有する包装の作成は、包装の流出口が形成される部分のみを再閉鎖可能に構成することを意図した。そこで、ファスナーストリップ３０は包装の前面及び背面の包装パネルの各のある一部分に沿ってのみ、及び側部ひだがある場合は包装の側部ひだ一方の内側面に沿ってのみ延びることが必要である。従って各ファスナーストリップは、半分に折り返されたときは、各包装を形成する平たい状態のチューブの幅の半分より小さい長さである。
【００４５】
再閉鎖可能な流出口を有する側部ひだのある包装が明らかにされた。除去部分に隣接した包装のファスナーストリップの配置は、希望のように流出口の便利な開閉を容易にする。再閉鎖するときは、包装の側部ひだをその最初の内向き配置に戻す必要はなく、従って包装のファスナーストリップをその最初のＷ字状に戻す必要がない。開く前は、ファスナーストリップはそれ自体に取り付けられず、従って開口後の包装の流出口の便利な形成を容易にする。しかし、ある種の用途に対しては、Ｗ字状ファスナーストリップをそれ自体に固着することが望まれることがある。
【００４６】
開口を容易にするために包装１０に弱くされた領域２６を設けることが好ましいが、包装は、鋏又はナイフで切ることにより適切に開き得るため、かかる領域を設けることは要求されない。この場合も、包装の封着されたヘッダーの一部分だけを開口中に除去し、従ってヘッダーの残りの部分が開口された包装の完全性を確保することが意図される。
【００４７】
以上から、本発明の新規な概念の精神及び範囲から離れることなく多くの変化及び変更を行うことができる。ここに明らかにされたこの特定の実施例には限定されないことが意図され又は推定されるべきであることを理解すべきである。この開示は特許請求の範囲によりその範囲が示され、かかる変更のすべては請求範囲内にある。
【図面の簡単な説明】
【００４８】
【図１】本発明の原理を具体化した再閉鎖可能な流出口を有する包装の斜視図であり、図示された実施例は側部ひだを有している。
【図２】流出口が開かれた後の包装を示している図１に示された包装の斜視図である。
【図３】流出口が密閉された後の本発明の包装を示している図１及び２と同様な図である。
【図４】図１の線４−４に沿って一般に得られた本発明の包装の断面図である。
【図５】図２の線５−５に沿って一般に得られた本発明の包装の断面図である。
【図６】図３の線６−６に沿って一般に得られた本発明の包装の断面図である。
【図７】図２の線７−７に沿って一般に得られた本発明の包装の一部の断面図である。
【図８】図３の線８−８に沿って一般に得られた本発明の包装の一部の断面図である。
【図９】本発明の包装の形成を示している線図的な斜視図である。
【図１０】本発明の包装の変更された形成方法を示す線図的な斜視図である。
【図１１】再閉鎖可能な流出口を有する本発明の包装の更なる実施例を示す線図的な斜視図である。
【図１】
2009511379.tif 000003
【図２】
2009511379.tif 000004
【図３】
2009511379.tif 000005
【図４】
2009511379.tif 000006
【図５】
2009511379.tif 000007
【図６】
2009511379.tif 000008
【図７】
2009511379.tif 000009
【図８】
2009511379.tif 000010
【図９】
2009511379.tif 000011
【図１０】
2009511379.tif 000012
【図１１】
2009511379.tif 000013
【国際調査報告】
2009511379.tif 000014